(57)【要約】【課題】野菜ケース内の乾燥を抑制し、シール性を確保した冷蔵庫を提供することを目的とする。【解決手段】貯蔵室内に上下方向に複数の棚板２５１が配置され、棚板２５１の下部に引出し可能に収納される収納ケース２５０と、収納ケース２５０の底面を載置する載置板と、前記収納ケースの前壁部に当接して前記棚板との隙間をシールする第１シール部材２５２を前記棚板の前端部に嵌合し、前記収納ケースの後壁部に当接して前記棚板との隙間をシールする第２シール部材２５３を前記棚板の後端部に嵌合して備え、前記前壁部は前記棚板よりも上方に立ち上げて形成され、前記後壁部には、下方に向かって延在するフランジ部が形成され、前記第１シール部材２５２は前記前壁部と前後方向で当接してシールされ、前記第２シール部材２５３は前記フランジ部と前後方向で当接してシールされることにより、信頼性の高いシール構造を形成することができる。【選択図】図２
2012220148.tif 000002
【特許請求の範囲】
【請求項１】
貯蔵室内に上下方向に複数の棚板が配置され、前記棚板の下部に引出し可能に収納される収納ケースと、前記収納ケースの底面を載置する載置板と、前記収納ケースの前壁部に当接して前記棚板との隙間をシールする第１シール部材を前記棚板の前端部に嵌合し、前記収納ケースの後壁部に当接して前記棚板との隙間をシールする第２シール部材を前記棚板の後端部に嵌合して備え、前記前壁部は前記棚板よりも上方に立ち上げて形成され、前記後壁部には、下方に向かって延在するフランジ部が形成され、前記第１シール部材は前記前壁部と前後方向で当接してシールされ、前記第２シール部材は前記フランジ部と前後方向で当接してシールされることを特徴とする冷蔵庫。
【請求項２】
前記第１シール部材は前記棚板に接続する接続部材を介して取り付けられ、前記第１シール部材の基部は前記接続部材に圧入して固定され、シール面となる第１ヒレ部の一方は前記基部に一体成形され、他方は前方に向かって湾曲しながら下方に延びて自由端となって取り付けられていることを特徴とする請求項１に記載の冷蔵庫。
【請求項３】
前記第２シール部材は前記棚板に接続する接続部材を介して取り付けられ、前記第２シール部材の基部は前記接続部材を挟み込んで固定され、シール面となる第２ヒレ部の一方は前記基部に一体成形され、他方は略鉛直下方向に向かって延びる自由端となって取り付けられていることを特徴とする請求項１または２に記載の冷蔵庫。
【発明の詳細な説明】
【技術分野】
【０００１】
本発明は、冷蔵庫に関し、特に引出式の貯蔵室にシール部材を備えたシール構造に関するものである。
【背景技術】
【０００２】
従来、この種の冷蔵庫で、野菜室容器に補助容器を設けた場合の間に生じる隙間を閉塞するシールに関するものである（例えば、特許文献１参照）。
【０００３】
図５は、従来の冷蔵庫の断面図である。野菜室４の前面開口を開閉する引出し扉１０が固着され、貯蔵容器１１は引出し扉１０の引出し動作によって連動し、前後方向に移動可能となっている。また貯蔵容器１１の後方上部には補助容器１４が載置され、貯蔵容器１１の上縁部のフランジ部に摺動可能に前後移動可能に支持されている。
【０００４】
また貯蔵容器１１の後部壁には、切欠きが設けられ切欠き部の左右側縁部および底縁部に設けられたフランジ部１６ａにはシールパッキング１７が嵌合して取り付けられている。
【０００５】
嵌合構造としては、シールパッキング１７に設けた段部１７ａがフランジ部１６ａの下面の係合爪１６ｂに係合されて抜け止めされている。シールパッキング１７の上面には、略半円弧状の薄肉の弾性変形部１７ｂが設けられており、弾性変形部１７ｂが補助容器１４の底面縁部に形成された凸条部１５に弾性的に当接して、切欠部１６と補助容器１４との間に隙間を生じることがないようにしている。
【先行技術文献】
【特許文献】
【０００６】
【特許文献１】特開平３−１８１７６５号公報
【発明の概要】
【発明が解決しようとする課題】
【０００７】
しかしながら、前記従来の構成では、貯蔵容器１１の上部に補助容器１４を載置しているので、上下方向でシールパッキング１７によるシール構成は維持されるが、前後方向に移動する貯蔵容器１１と上部に位置する蓋部材１８の前端部との間に生じる隙間には、シール部材は備えられていない。
【０００８】
前後方向に移動可能な貯蔵容器１１と蓋１８との間にシールパッキング１７を配置すればシール面となる弾性変形部１７ｂでシールされることとなる。
【０００９】
しかしながら、弾性変形部１７ｂは略半円弧状なので、蓋１８に取り付けられた場合、貯蔵容器１１の前後移動によって、シール面が磨耗する虞がある。また弾性変形部材１７ｂの場合、シール面は線接触となるので、庫内温度によって収縮し隙間ができたり、逆に膨張して貯蔵容器１１が所定位置に戻らず、扉１０を閉じることができなくなり、野菜室４内が乾燥し、または適温に維持できないという課題を有していた。
【００１０】
本発明は従来の課題を解決するもので、野菜ケース内の乾燥を抑制し、シール性を確保した冷蔵庫を提供することを目的とする。
【課題を解決するための手段】
【００１１】
上記従来の課題を解決するために、本願発明の冷蔵庫は、収納ケースの上面開口部の上部にある棚の前端部と後端部にヒレ構造のシール部材を設け、収納ケースが収納された際にシール部材と収納ケース前壁部、およびシール部材と収納ケースの後壁部が当接して棚と収納ケースとの隙間を塞ぐ構成にしている。
【発明の効果】
【００１２】
本発明の冷蔵庫は、冷蔵室内に設置されたケースの上部に位置する棚にシール材を設けることで、ケースと棚の隙をシールし、冷気の流れを封鎖できるため、ケース内に保存した食品を乾燥から守ることができるという効果を奏するものである。
【図面の簡単な説明】
【００１３】
【図１】本発明の実施の形態１における冷蔵庫の縦断面図
【図２】図１のＡ部拡大した状態を示す図
【図３】図２のＢ部を拡大した状態を示す図
【図４】図２のＣ部を拡大した状態を示す図
【図５】従来の冷蔵庫の断面図
【発明を実施するための形態】
【００１４】
第１の発明は、貯蔵室内に上下方向に複数の棚板が配置され、前記棚板の下部に引出し可能に収納される収納ケースと、前記収納ケースの底面を載置する載置板と、前記収納ケースの前壁部に当接して前記棚板との隙間をシールする第１シール部材を前記棚板の前端部に嵌合し、前記収納ケースの後壁部に当接して前記棚板との隙間をシールする第２シール部材を前記棚板の後端部に嵌合して備え、前記前壁部は前記棚板よりも上方に立ち上げて形成され、前記後壁部には、下方に向かって延在するフランジ部が形成され、前記第１シール部材は前記前壁部と前後方向で当接してシールされ、前記第２シール部材は前記フランジ部と前後方向で当接してシールされることにより、引出し式の収納ケースと上部の棚との隙間をシールすることができ、シール部材のシール面と収納ケースの壁面とを前後方向で接触させてシールするのでシール部材の磨耗を防止でき信頼性の高いシール構造を形成することができる。
【００１５】
第２の発明は、第１の発明にさらに、前記第１シール部材は前記棚板に接続する接続部材を介して取り付けられ、前記第１シール部材の基部は前記接続部材に圧入して固定され、シール面となる第１ヒレ部の一方は前記基部に一体成形され、他方は前方に向かって湾曲しながら下方に延びて自由端となって取り付けられているものであり、面でのシール性を確保できる。
【００１６】
第３の発明は、第１または第２の発明にさらに、前記第２シール部材は前記棚板に接続する接続部材を介して取り付けられ、前記第２シール部材の基部は前記接続部材を挟み込んで固定され、シール面となる第２ヒレ部の一方は前記基部に一体成形され、他方は略鉛直下方向に向かって延びる自由端となって取り付けられているものであり、収納ケースの後壁面とのシール性を確保できる。
【００１７】
（実施の形態１）
図１は、本発明の実施の形態１における冷蔵庫の縦断面図である。
【００１８】
図１に示すように、本実施の形態にかかる冷蔵庫１００は、冷蔵庫１００の内方と外方とを断熱状態で隔てる断熱箱体１０１内に複数に区画された貯蔵室を備えている。
【００１９】
冷蔵庫１００の内の複数に区画された貯蔵室は、その機能（冷却温度）によって冷蔵室１０４、野菜室１０８、および冷凍室１０７等と区別して称されることがある。
【００２０】
冷蔵庫１００の最上部に位置する冷蔵室１０４の前面開口部には、例えばウレタンのような発泡断熱材を発泡充填した回転式の断熱扉１０４ａが設けられ、棚状の収納空間となっている。
【００２１】
また、冷蔵室１０４の下部に配置される野菜室１０８、および冷凍室１０７は引出式の収納空間となされている。
【００２２】
断熱箱体１０１は、金属製の外箱１０２と樹脂製の内箱１０３との間に例えば硬質発泡ウレタンなどの断熱材１０１ｂを充填して形成される少なくとも一面が開口した直方体の箱体である。この断熱箱体１０１は、外方の雰囲気（大気）から断熱箱体１０１の内方に流入しようとする熱を遮断する機能を有している。
【００２３】
冷蔵室１０４は、冷蔵保存のために収容物が凍らない程度の低い温度に維持される貯蔵室である。具体的な温度の下限としては、通常１〜５℃で設定されている。
【００２４】
野菜室１０８は、冷蔵室１０４と冷凍室１０７を上下に断熱区画する断熱区画壁１１０の上部で、冷蔵室１０４の空間内の最下部に配置されている。断熱箱体１０１の最下部に配置され、主として野菜の冷蔵を目的とした貯蔵室である。また、野菜室１０８は、冷蔵室１０４と同等もしくは若干高い温度設定となされている。具体的な温度の下限としては、２℃〜７℃である。なお、低温にするほど葉野菜の鮮度を長期間維持することが可能である。
【００２５】
冷凍室１０７は、冷凍温度帯に設定される貯蔵室である。具体的には、冷凍保存のために通常−２２〜−１８℃で設定されているが、冷凍保存状態の向上のために、たとえば−３０〜−２５℃の低温で設定されることもある。
【００２６】
図２は、本発明の実施の形態１における要部断面図である。また図３は図２のＡ部拡大図、図４は図２のＢ部拡大図である。
【００２７】
図２に示すように、収納ケース２５０は、野菜やペットボトルに充填された飲料などを収容するための容器であり、上面が開口した箱体である。収納ケース２５０は断熱区画壁１１０と棚２５１間に設置されており、収納ケース２５０が収納されている状態では、棚板２５１が収納ケース２５０の上面開口部を閉塞する構造となっている。収納ケース２５０は冷蔵室１０４の底面となる載置板３００に載置され前後方向に移動可能に構成されている。
【００２８】
棚板２５１の前端縁部には、第一のシール部材２５２が嵌合により取り付けられていて、該第一のシール部材２５２に設けられた基部２５２ａが収納ケース２５０前端縁部に接続された接続部材２６０に圧入されて固定されている。基部２５２ａにはアンカー部が形成されていて、圧入後は抜け防止となっている。
【００２９】
また基部２５２ａには一体成形された第１ヒレ部材２５２ｂが冷蔵室１０４の開口部方向に円弧状に湾曲し、第１ヒレ部材２５２ｂの他端側は自由端となった軟質樹脂で構成されている。また収納ケース２５０の前面壁を構成する収納ケース前面部２５０ａは下方から上方に向かって立ち上がり、棚板２５１よりも上方に立ち上がった時点で手前側から下方に向かって折り返した折り返し部を形成している。
【００３０】
折り返し部は収納ケース２５０を前後方向に移動可能にする取っ手部となっており、収納ケース前面部２５０ａに第１ヒレ部材２５２ｂが当接して棚板２５１と収納ケース２５
０との間の隙間をシールすることができる。
【００３１】
また棚板２５１の後端縁部には、第二のシール部材２５３が嵌合により取り付けられていて、第二のシール部材２５３に設けられた基部２５３ａが収納ケース２５０後端縁部に接続された接続部材２６１を挟み込んで固定されている。接続部材２６２の係合部は鉛直下方に向かって延在し、基部２５３ａに一体成形された第２ヒレ部材２５３ｂも下方に延びて形成されている。
【００３２】
収納ケース２５０の上面開口部の後端部に設けた後端フランジ２５０ｂに第２ヒレ部材２５３ｂが当接して棚板２５１の後方部と収納ケース２５０間の隙間をシールすることができる。
【００３３】
以上のように構成された冷蔵庫について、以下その動作、作用を説明する。
【００３４】
まず、冷凍室１０７の後方に配置された冷却器室の冷却器２７０で熱交換された冷気は上部にある送風機２７１の運転により、冷却器室から上方に連通する冷蔵室ダクト２７２と冷凍室１０７へ、冷気が分配される。冷蔵室ダクト２７２に導かれた冷気は冷蔵室１０４内に吐出され、吐出された冷気は野菜室１０８の後方に配置する吸い込み口２７３に吸い込まれて、戻りダクト２７５を戻って冷却器２７０で再び熱交換される。
【００３５】
野菜室１０８を構成する収納ケース２５０とその天面となる棚板２５１との間には第１のシール部材２５２が棚板２５１の前端部に圧入されて固定されていて、また収納ケース前面部２５０ａに第１ヒレ部材２５２ｂが当接して形成されているため、隙間がシールされた状態となっている。
【００３６】
また、収納ケース２５０と棚板２５１の後端部の後端フランジ２５０ｂとの間も第二のシール部材２５３の第２ヒレ部２５３ｂが後端フランジ２５０ｂに当接しているので、隙間がシールされた状態となっている。
【００３７】
このため上部の冷蔵室１０４から下方に循環してきた冷気は野菜室１０８の収納ケース２５０と棚板２５１との間に形成される前後の隙間をそれぞれ第１のシール部材２５２、第２のシール部材２５３とでシールされて塞がれるので収納ケース２５０内に冷気は導かれず、内部に収納した野菜などの乾燥を防止することができる。
【００３８】
また、収納ケース２５０の下面と下部の断熱区画壁１１０との間には隙間を設け、冷蔵室１０４を循環した冷気の戻りダクト２７５として形成されている。そして野菜室１０８の後方、すなわち収納ケース２５０の後方に形成した吸い込み口２７３に吸い込まれる。
【００３９】
したがって野菜室１０８は、収納ケース２５０内に冷気が入らないようにし、収納ケース２５０の外側周辺を冷気が循環することで収納ケース２５０内を間接的に冷却することができる。
【００４０】
これによって、収納ケース２５０内の野菜などに直接冷気が当たらず、乾燥や低温障害による野菜の傷みを低減することができ、保鮮性を維持することができる。
【００４１】
また収納ケース前面部２５０ａに第１ヒレ部２５２ｂが手前側に湾曲しながら弾性変形しているので弾性的に当接して、収納ケース前面部２５０ａと棚板２５１との間に隙間が生ずることがないようにしている。
【００４２】
また第二のシール部材２５３の第２のヒレ部は鉛直下方向に延びて、棚板２５１の後端
部の後端フランジ２５０ｂに当接しており、収納ケース２５０の後端部の後端フランジ２５０ｂを下方に抑えつけるように圧接している。
【００４３】
したがって収納ケース２５０の引出し動作において、収納ケース２５０が引出された状態から後方に押し込まれて閉じたとき、第１のシール部材２５２は収納ケース前面部２５０ａを手前方向に押しながら当接しているので、収納ケース２５０と棚板２５１との隙間のバラツキ、また第１のシール部材２５２自体のバラツキがあってもシール性を確保することができる。
【００４４】
また第２のシール部材２５３は収納ケースの後端フランジ２５０ｂの上部に接してシールされるので、収納ケース２５０に対して第１のシール部材２５２と異なる方向に抑えつけながらシールされるので、収納ケース２５０がシール材の弾性力によって前方に押し出されて逆に隙間ができるのを低減することができる。
【００４５】
また野菜室１０８の奥部に配置する第２のシール部材２５３は接続部材２６１に対して挟み込んで固定されるので、作業性を向上することができる。また下方に向かって延びる接続部２６１に下方から上方に向かって基部２５３ａを挟み込んでいるので、収納ケース２５０の前後方向の可動に対しても第２シール部材２５３が外れて落下すことを防止できる。
【００４６】
また第１のシール部材２５２の基部２５２ａは接続部材２６０の前端部に対して前後方向に圧入して固定されているので、収納ケース前面部２５０ａが第１ヒレ部２５２ｂに当接しても、前後方向に応力が加わるので衝撃で外れるのを防止できる。さらに、アンカー部が形成されているので、より外れを防止できる。
【産業上の利用可能性】
【００４７】
以上のように、本発明にかかる冷蔵庫は、収納ケースのシール性を確保できるので、業務用冷蔵庫や保冷庫に用いられる収納ケースでも同様の効果を得ることができる。
【符号の説明】
【００４８】
２５１  棚板
２５０  収納ケース
２５２  第１のシール部材
２５２ｂ  第１ヒレ部材
２５３  第２のシール部材
２５３ｂ  第２ヒレ部材
【図１】
2012220148.tif 000003
【図２】
2012220148.tif 000004
【図３】
2012220148.tif 000005
【図４】
2012220148.tif 000006
【図５】
2012220148.tif 000007